(57)【要約】  【課題】本発明は、発信人からの伝達情報をカラオケの際に受信人に対して出力させるカラオケシステムに関し、発信人による情報伝達の設定操作を簡便とし、発信人の受信人への伝達の効果性を発揮させることを目的とする。  【解決手段】発信人となる利用者ＩＤ別に、所定数の受信人となる他の利用者に対するメッセージ毎に所定数の楽曲ＩＤを関連付けて予め登録しておき、メッセージ出力制御手段が、ログインした利用者による利用者ＩＤをもって予約待ち行列５７に選曲した楽曲が利用者別メッセージ情報５６の当該登録された楽曲であり、当該楽曲が演奏される際に、当該楽曲に関連付けられた受信人が本システムにログインしているかを判断し、ログインしている場合に対応の関連付けられたメッセージを出力制御する構成とする。  【選択図】  図６
2010107837.tif 000002
【特許請求の範囲】
【請求項１】
所定の伝達情報登録更新手段をもって、発信人の利用者ＩＤ別に、受信人の利用者ＩＤに対する伝達情報毎に所望の楽曲ＩＤを関連付けて予め登録しておくカラオケシステムであって、
伝達情報取得手段及び伝達情報出力制御手段を有し、
前記伝達情報取得手段は、任意の発信人が、その利用者ＩＤをもって本システムにログインした場合、当該発信人の前記伝達情報とそれに関連付けられた楽曲ＩＤ及び受信人の利用者ＩＤとを取得し、
前記伝達情報出力制御手段は、発信人となる利用者が前記取得した伝達情報に関連付けられた楽曲を選曲すると、当該楽曲が演奏される際に、当該楽曲に関連付けられた受信人が本システムにログインしているかを判断し、ログインしている場合に、その演奏中に当該伝達情報の出力制御を行う、
ことを特徴とする伝達情報出力機能を備えるカラオケシステム。
【請求項２】
請求項１記載の伝達情報出力機能を備えるカラオケシステムであって、前記伝達情報登録更新手段は、前記出力制御された伝達情報に対して、少なくとも関連付けられた楽曲ＩＤ及び伝達された受信人の利用者ＩＤを前記登録より消去することを特徴とする伝達情報出力機能を備えるカラオケシステム。
【請求項３】
請求項２記載の伝達情報出力機能を備えるカラオケシステムであって、前記伝達情報登録更新手段は、前記出力制御された伝達情報に対して、少なくとも関連付けられた楽曲ＩＤ及び伝達された受信人の利用者ＩＤを前記登録より消去するに際し、当該楽曲の演奏終了まで当該受信人がログイン状態である場合にのみ消去処理を行うことを特徴とする伝達情報出力機能を備えるカラオケシステム。
【発明の詳細な説明】
【技術分野】
【０００１】
本発明は、発信人からの伝達情報をカラオケの際に受信人に対して出力させるカラオケシステムに関する。
【背景技術】
【０００２】
近年、カラオケシステムの高機能化に伴い、利用者に種々のサービスを提供することが可能となってきており、利用者による他の利用者への伝達情報、例えばメッセージ、カラオケ演奏のＢＧＭ、背景映像のＢＧＶを出力表示させることも行われてきている。このような伝達情報の出力表示を発信人や受信人の操作手間を軽減させ、また、カラオケ演奏による発信人自らが歌唱している当にその最中に伝達情報を受信人に伝達させることで好適な雰囲気を効果的に演出でき、発信人の受信人への伝達の効果性を発揮させることが望ましい。
【０００３】
従来、カラオケシステム、カラオケ演奏装置を利用して利用者による他の利用者への伝達情報を出力表示させることが、例えば本出願人により種々提案してきている。例えば、所定の利用者が選曲時に、当該利用者の指定した楽曲の識別子と発信すべきメッセージとを対応付けさせて演奏予約待ち行列に登録しておき、待ち行列に従って楽曲を演奏する際に当該楽曲に対応付けられているメッセージを表示するというものである（特許文献１）。
【０００４】
また、例えば、所定の通信カラオケ演奏端末で顧客の作製したデータファイルを受取人ＩＤとともに通信カラオケホスト装置に保管しておき、受取人ＩＤに該当する利用者が不特定の通信カラオケ演奏端末を利用する際、自分のＩＤを入力することで該当するデータファイルをホスト装置から取得して出力させるというものである（特許文献２）。
【０００５】
【特許文献１】特開２００４−０６１６５９号公報
【特許文献２】特許第３４６２０５９号公報
【発明の開示】
【発明が解決しようとする課題】
【０００６】
しかしながら、上記特許文献１は、発信人である利用者の指定により楽曲とメッセージとを対応付けしていることから、受信人毎にその都度予約待ち行列に予約する楽曲にメッセージを登録させるという操作が必要であると共に、当該楽曲が演奏される際に発信人がその場所に存しないときにも情報伝達が行われることとなり、情報伝達効果が薄れるという問題がある。また、上記特許文献２においても同様に、受信人ＩＤにデータファイルが対応付けられていることから、発信人の存在や楽曲とは無関係に当該受信人が確認されたときにデータファイルが出力されることとなって情報伝達効果が薄れるという問題がある。
【０００７】
そこで、本発明は上記課題に鑑みなされたもので、発信人による情報伝達の設定操作を簡便とし、好適な雰囲気を効果的に演出でき、発信人の受信人への伝達の効果性を発揮させるカラオケシステムを提供することを目的とする。
【課題を解決するための手段】
【０００８】
上記課題を解決するために、請求項１の発明では、所定の伝達情報登録更新手段をもって、発信人の利用者ＩＤ別に、受信人の利用者ＩＤに対する伝達情報毎に所望の楽曲ＩＤを関連付けて予め登録しておくカラオケシステムであって、伝達情報取得手段及び伝達情報出力制御手段を有し、前記伝達情報取得手段は、任意の発信人が、その利用者ＩＤをもって本システムにログインした場合、当該発信人の前記伝達情報とそれに関連付けられた楽曲ＩＤ及び受信人の利用者ＩＤとを取得し、前記伝達情報出力制御手段は、発信人となる利用者が前記取得した伝達情報に関連付けられた楽曲を選曲すると、当該楽曲が演奏される際に、当該楽曲に関連付けられた受信人が本システムにログインしているかを判断し、ログインしている場合に、その演奏中に当該伝達情報の出力制御を行う、構成とする。
【０００９】
請求項２、３の発明では、「前記伝達情報登録更新手段は、前記出力制御された伝達情報に対して、少なくとも関連付けられた楽曲ＩＤ及び伝達された受信人の利用者ＩＤを前記登録より消去する」構成であり、
「前記伝達情報登録更新手段は、前記出力制御された伝達情報に対して、少なくとも関連付けられた楽曲ＩＤ及び伝達された受信人の利用者ＩＤを前記登録より消去するに際し、当該楽曲の演奏終了まで当該受信人がログイン状態である場合にのみ消去処理を行う」構成である。
【発明の効果】
【００１０】
請求項１の発明によれば、発信人となる利用者別に、所定数の受信人となる他の利用者に対する伝達情報毎に所定数の楽曲を関連付けて予め登録しておき、ログインした発信人となる利用者が選曲した楽曲が当該登録された楽曲であり、当該楽曲が演奏される際に、当該楽曲に関連付けられた受信人が本システムにログインしているかを判断し、ログインしている場合に対応の関連付けられた伝達情報を当該受信人に伝達するための出力制御を行わせる構成とすることにより、予め伝達情報毎に楽曲及び受信人を登録させておくことから、特に一の伝達情報に対して複数の楽曲や受信人を一度の操作で設定させることが可能となって利用者の設定利便性を向上させることができ、さらに、カラオケ演奏による発信人自らが歌唱している当にその最中に、例えば、受信人に対しそのカラオケ背景映像のディスプレイをもって伝達情報を出力することで、好適な雰囲気を効果的に演出でき、発信人の受信人への伝達の効果性を発揮させることができるものである。
【００１１】
請求項２及び３の発明によれば、出力された伝達情報に対して少なくとも関連付けられた楽曲及び受信人の情報を前記登録より消去し、その際に、当該楽曲の演奏終了まで当該受信人がログイン状態である場合にのみ消去処理を行わせることにより、同じ楽曲が選曲演奏されても同じ受信人に対する伝達情報の重複した出力を回避させることができ、また、楽曲の演奏終了まで受信人がログイン状態である場合にのみ消去処理を行わせることから、受信人に対する伝達情報を確実に伝達することを確保することができるものである。
【発明を実施するための最良の形態】
【００１２】
以下、本発明の最良の実施形態を図により説明する。本実施形態では、伝達情報をメッセージとして説明するが、他に、例えばカラオケ演奏のＢＧＭや背景映像のＢＧＶであっても同様である。
【００１３】
図１に、本発明に係るカラオケシステムの系統構成図を示す。図１（Ａ）は通信ネットワークを使用して本システムを構成させた場合のネットワーク模式図、図１（Ｂ）はホスト装置の概要ブロック構成図、図１（Ｃ）はメッセージ情報管理テーブルの説明図である。
【００１４】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１５】
ホスト装置１１は、図１（Ｂ）に示すように、少なくとも送受信手段２１、制御手段２２、伝達情報登録更新手段であるメッセージ情報登録更新手段２３及び記憶部２４を備え、当該記憶部２４にはメッセージ情報管理テーブル２５及びメッセージ２６が記憶される。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１６】
上記制御手段２２は、当該ホスト装置１１を統括的に制御するもので、例えば物理的なＣＰＵであり、図示しないＲＯＭに格納されているプログラムのアルゴリズム処理を行う。上記メッセージ情報登録更新手段２３は、所定のカラオケ演奏端末１３より所定の利用者ＩＤに基づいて発信人としてメッセージＩＤで特定される伝達情報としてのメッセージ毎に、楽曲（楽曲ＩＤ）及び受信人としての他の利用者の利用者ＩＤを関連付けたメッセージ情報が送信されてきたときに、メッセージ情報管理テーブル２５に、図１（Ｃ）に示すように、発信人の利用者ＩＤ別に、メッセージＩＤ毎の、楽曲ＩＤ及び受信人の利用者ＩＤを関連付けて、新規の場合には新規登録し、既に登録されている場合には、メッセージＩＤ、楽曲ＩＤ及び受信人の利用者ＩＤの関連付けの変更、追加、削除を行う。そして、メッセージＩＤで特定されるメッセージは、新規に、又は適宜更新されて記憶部２４のメッセージ２６に記憶される。
【００１７】
すなわち、上記メッセージ情報管理テーブル２５は、図１（Ｃ）に示すように、例えばそれぞれのメッセージＩＤに対して、単一若しくは複数の楽曲ＩＤが関連付けられると共に、一人又は複数人の受信人の利用者ＩＤが関連付けられて管理されるものである。
【００１８】
次に、図２に本発明のカラオケシステムにおけるカラオケ演奏端末に係るブロック構成図を示すと共に、図３に図２の予約待ち行列の説明図を示す。図２において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。
【００１９】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データに、マイク３４からの音声信号をミキシングし、増幅してスピーカ３５より出力する。
【００２０】
遠隔入出力端末３６は、図示しない端末送受信部により、カラオケ演奏装置３１に対して有線方式ないし無線方式（ＩＲ方式やブルートゥース（登録商標）機構のピコネット接続方式など）を利用してデータ授受を行うためのもので、楽曲検索選曲手段３７、メッセージ情報作成手段３８及び端末表示部３９を適宜備える。
【００２１】
上記楽曲検索選曲手段３７は、後述するユーザインタフェース機能により利用者ＩＤに基づいて、楽曲を検索させ、選曲させるテーブルを備えるプログラムである。これら選曲された楽曲は、後述の予約待ち行列（５７）に選曲者（例えば発信人としての利用者の利用者ＩＤ）が付帯されて登録される（後述する）。
【００２２】
上記メッセージ情報作成手段３８は、利用者ＩＤに基づき、メッセージを入力作成させることができ、発信人としてメッセージＩＤで特定されるメッセージ毎に、所定数の楽曲（楽曲ＩＤ）と所定数の他の利用者を受信人とする対応の利用者ＩＤとを関連付けてホスト装置１１のメッセージ管理テーブル２５やメッセージ情報２６に登録させるためのメッセージ情報ファイルを作成するプログラムである。なお、受信人の利用者ＩＤを関連付ける場合として、例えば、上記ファイル作成時に、共にログインしている利用者の利用者ＩＤを特定すればよい。
【００２３】
上記端末表示部３９は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。なお、この遠隔入出力端末３６には、図示しない利用者を特定する手段が搭載され、ログイン要求の利用者より利用者ＩＤを取得してカラオケ演奏装置３１のログイン者情報（５５）として記憶させる電子回路及びプログラムを備える。利用者ＩＤの取得（ログイン者情報）は、例えば、利用者の所持するＩＣカードからの利用者ＩＤの取得、ユーザＩＤやパスワードの入力、声紋、指紋などの生体認証等による。この利用者を特定する手段をカラオケ演奏装置３１に備えさせてもよい。
【００２４】
上記カラオケ演奏装置３１は、バス４１、中央制御部４２、ＲＯＭ４３、ＲＡＭ４４、記憶部４５、映像再生制御部４６、音楽演奏制御部４７、メッセージ情報管理手段４８、伝達情報取得手段であるメッセージ情報取得手段４９、伝達情報出力制御手段であるメッセージ出力制御手段５０及び送受信部５１，５２を適宜備える。また、上記記憶部４５には、楽曲ＤＢ５３及び映像ＤＢ５４が記憶され、ＲＡＭ４４には、ログイン者情報５５、利用者別メッセージ情報５６及び予約待ち行列５７の記憶領域が形成される。なお、上記各構成について、本発明の要旨と直接関連しない要素部分であっても、従前のカラオケ装置においても大部分が適用可能であることを示すために、装置全体を説明する。
【００２５】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、ログイン者情報５５、利用者別メッセージ情報５６及び予約待ち行列５７の記憶領域が形成される他に、上記種々のプログラムを展開、実行させるための作業領域としての役割をなすもので、例えば半導体メモリで構成され、仮想的にハードディスク上に構築される場合をも含む概念である。
【００２６】
上記映像再生制御部４６は、演奏時に、映像ＤＢ５４より抽出された所定数のシーン映像データ及び楽曲コードで楽曲ＤＢ５３より抽出された歌詞テロップデータ（歌詞文字データ）を当該楽曲の音符データに同期させて表示部３２に出力する電子回路である。上記音楽演奏制御部４７は、楽曲コードで楽曲ＤＢ５３より抽出された音符データをデジタル出力し、アナログ変換してミキシングアンプ３３に出力する電子回路である。
【００２７】
メッセージ情報管理手段４８は、ここでは、メッセージ情報作成手段３８で作成されたメッセージ情報ファイルをホスト装置１１に送信して、メッセージ情報登録更新手段２３によりメッセージ管理テーブル２５やメッセージ情報２６に登録させ、又は更新させるためのプログラムである。
【００２８】
上記メッセージ情報取得手段４９は、任意の発信人である利用者が利用者ＩＤをもって本システムにログインした場合に、当該利用者ＩＤに基づいてホスト装置１１の記憶部２４に記憶されているメッセージ情報管理テーブル２５のうち、当該利用者ＩＤで管理されている部分の管理テーブル情報を取得すると共に、対応のメッセージＩＤで特定されるメッセージの内容をメッセージ２６より取得して、ＲＡＭ４４の利用者別メッセージ情報５６に当該利用者ＩＤ別に記憶するプログラムである。
【００２９】
上記管理テーブル情報は、メッセージＩＤに関連付けられた所定数の楽曲（楽曲ＩＤ）及び所定数の受信人となる他の利用者（利用者ＩＤ）の情報である。例えば、ログインした利用者の利用者ＩＤが、図１（Ｃ）に示す「＊＊＊＊＊＊＊Ａ」である場合に、この利用者ＩＤで管理されるメッセージＩＤ毎に関連付けられた所定数の楽曲ＩＤ及び所定数の受信人の利用者ＩＤがＲＡＭ４４の利用者別メッセージ情報５６に記憶される。
【００３０】
上記メッセージ出力制御手段５０は、発信人となる利用者が選曲した楽曲がメッセージ情報管理テーブル２５（利用者別メッセージ情報５６）に登録された楽曲であり、当該楽曲が演奏される際に、当該楽曲に関連付けられた受信人が本システムにログインしているかをＲＡＭ４４のログイン者情報５５より判断し、ログインしている場合に対応の関連付けられたメッセージを当該楽曲の演奏中に映像再生制御部４６又は音楽演奏制御部４７への出力する制御を行うプログラムである。
【００３１】
上記送受信部５１は、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５２は、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００３２】
上記記憶部４５に記憶されている楽曲ＤＢ５３は、楽曲毎に、音符データ及び歌詞データを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ５４に格納された当該楽曲毎の背景映像を表示するための所定数のシーン映像を割り当てる割当データが関連付けられる。
【００３３】
上記記憶部４５に記憶されている当該映像ＤＢ５４は、背景映像表示のための所定数のシーン映像データを所定数格納するデータベースである。なお、この楽曲ＤＢ５３及び映像ＤＢ５４を、カラオケ演奏装置３１ではなく、上記ホスト装置１１に備えさせることとしてもよい。
【００３４】
ＲＡＭ４４に記憶されるログイン者情報５５は、上記のように、遠隔入出力端末３６から図示しない利用者特定手段から取得したログイン者の各利用者ＩＤであり、例えばホスト装置１１の図示しない顧客ＤＢより取得した利用者の氏名、ニックネームと関連付けて記憶される。
【００３５】
そして、ＲＡＭ４４に記憶される予約待ち行列５７は、図３に示すように、演奏する楽曲が予約順の楽曲ＩＤに、その選曲者の利用者ＩＤ及び受信人へのメッセージの設定登録がある場合には当該メッセージのメッセージＩＤ及び受信人の利用者ＩＤが付帯されて登録されるもので、当該選曲者が発信人となる対象者である。
【００３６】
なお、カラオケ演奏端末１３をスタンドアローンのカラオケシステムとして適用させる場合には上記ホスト装置１１のメッセージ情報登録更新手段２３の処理内容をメッセージ情報管理手段４８に含ませて、メッセージ情報管理テーブル２５及びメッセージ２６を当該カラオケ演奏装置３１に備えさせる構成とすることにより実現することができる。
【００３７】
ここで、図４に、図３の予約待ち行列への登録の処理フローチャートを示す。ここでは、ログイン者が３名とし、利用者ＩＤ「＊＊＊＊＊＊＊Ａ」、「＊＊＊＊＊＊＊Ｂ」、「＊＊＊＊＊＊＊Ｅ」がログインして、当該利用者ＩＤ等がＲＡＭ４４のログイン者情報５５に記憶されているものとする。
【００３８】
図４において、所定の利用者より上記遠隔入出力端末３６の楽曲検索選曲手段３７で利用者ＩＤ（例えば、利用者ＩＤ「＊＊＊＊＊＊＊Ａ」）に基づいて、所定楽曲の選曲（例えば、楽曲ＩＤ「＊＊１２」）があると（ステップ（Ｓ）１）、メッセージ出力制御手段５０が、ＲＡＭ４４の利用者別メッセージ情報５６（図６参照）を参照して、当該楽曲ＩＤが選曲者の利用者ＩＤにおけるメッセージ情報に含まれているか否かを判断する（Ｓ２）。
【００３９】
利用者別メッセージ情報５６に利用者ＩＤ「＊＊＊＊＊＊＊Ａ」における当該楽曲ＩＤ「＊＊１２」がメッセージＩＤ「＊＊＊＊＊ｂ」に関連付けられていた場合に、当該メッセージＩＤのメッセージを特定し、選曲された楽曲ＩＤに選曲者の利用者ＩＤ及び当該特定したメッセージＩＤと受信人の利用者ＩＤとを付帯させて予約待ち行列５７に登録する（Ｓ３）。一方、当該楽曲ＩＤにメッセージＩＤが関連付けられていなければ、通常の選曲された楽曲ＩＤに選曲者の利用者ＩＤを付帯させて予約待ち行列５７に登録するものである（Ｓ４）。
【００４０】
そこで、図５に図２におけるメッセージ出力の処理フローチャートを示すと共に、図６に図４のメッセージ出力の説明図を示す。この場合、カラオケ演奏端末１３において、図３に示すように予約待ち行列５７に、演奏順に楽曲ＩＤが選曲者の利用者ＩＤ及び適宜メッセージＩＤ及び受信人の利用者ＩＤを付帯させて登録されており、演奏ＮＯ．１の楽曲ＩＤ「＊＊＊７」の楽曲が演奏されて、図６に示す演奏ＮＯ．２の楽曲ＩＤ「＊＊１２」が演奏されるものとしている。実際的には、演奏が終了した演奏ＮＯ．１の楽曲ＩＤ「＊＊＊７」は削除されて、演奏ＮＯ．２の楽曲ＩＤ「＊＊１２」が演奏ＮＯ．１となる。
【００４１】
そこで、図５において、選曲者（利用者ＩＤ「＊＊＊＊＊＊＊Ａ」）の選曲した楽曲ＩＤ「＊＊１２」の演奏開始が中央制御部４２より指令されると（Ｓ１１）、当該楽曲ＩＤ［＊＊１２］の演奏再生が行われ（Ｓ１２）、その際に、メッセージ出力制御手段５０が、図６に示すように、ＲＡＭ４４のログイン者情報５５を参照して、当該予約待ち行列５７に付帯されている受信人（利用者ＩＤ「＊＊＊＊＊＊＊Ｂ」）がログインしているかを判別する（Ｓ１３）。
【００４２】
当該受信人がログインしている場合に当該楽曲ＩＤに関連付けられたメッセージＩＤのメッセージを当該楽曲ＩＤ［＊＊１２］の演奏中の適時に映像再生制御部４６に送出する（Ｓ１４）。そこで、選曲者（発信人）が歌唱しているときに、メッセージ出力制御手段５０が表示部３２では、図６に示すように、発信人（利用者ＩＤ「＊＊＊＊＊＊＊Ａ」）の受信人（利用者ＩＤ「＊＊＊＊＊＊＊Ｂ」）に対するメッセージが表示されるものである。一方、当該受信人がログインしていなかった場合には、メッセージ出力は行われない。
【００４３】
すなわち、図３の予約待ち行列５７において、選曲者が利用者ＩＤ「＊＊＊＊＊＊＊Ａ」に限れば、図６に示すように、演奏ＮＯ．２の歌唱時に利用者ＩＤ「＊＊＊＊＊＊＊Ｂ」を受信人としてメッセージＩＤ「＊＊＊＊＊ｂ」のメッセージが表示され、また、演奏ＮＯ．３の楽曲ＩＤ「＊＊３３」の歌唱時に利用者ＩＤ「＊＊＊＊＊＊＊Ｂ」を受信人としてメッセージＩＤ「＊＊＊＊＊ｃ」のメッセージ情報が表示される。一方、演奏ＮＯ．７の楽曲ＩＤ「＊＊＊８」の歌唱時には、受信人がログインしていない利用者「＊＊＊＊＊＊＊Ｃ」であることから、メッセージは出力されないものである。
【００４４】
なお、図６に示すように、メッセージの伝達の受信人が同一楽曲（楽曲ＩＤ）について、複数設定されている場合に、メッセージ情報の出力条件を、何れかの受信人がログインしていれば出力するものとしてもよく、また、総ての受信人がログインしている場合にのみ出力するものとしてもよいものである。
【００４５】
このように、予め伝達情報毎に楽曲及び受信人を登録させておくことから、特に一の伝達情報に対して複数の楽曲や受信人を一度の操作で設定させることが可能となって利用者の設定利便性を向上させることができ、さらに、カラオケ演奏による発信人自らが歌唱している当にその最中に、例えば、受信人に対しそのカラオケ背景映像のディスプレイをもって伝達情報を出力することで、好適な雰囲気を効果的に演出でき、発信人の受信人への伝達の効果性を発揮させることができるものである。
【００４６】
次に、図７に、図２のメッセージ情報管理手段における他の処理の説明図を示す。ここで、図２のメッセージ情報管理手段４８においては、上述の処理機能の他に、メッセージ情報出力制御手段５０により出力されたメッセージに対して少なくとも関連付けられた楽曲及び受信人の情報を登録より消去する処理機能を備えさせたものである。
【００４７】
すなわち、図７において、メッセージ情報管理手段４８は、図４〜図６で受信人（利用者ＩＤ「＊＊＊＊＊＊＊Ｂ」）に対してメッセージが出力されたときに、利用者別メッセージ情報５６に記憶されている利用者ＩＤ「＊＊＊＊＊＊＊Ａ」における当該メッセージＩＤ、楽曲ＩＤ、受信人の利用者ＩＤを消去する処理を行うものである。
【００４８】
この場合、例えばメッセージＩＤ「＊＊＊＊＊ｂ」に関連付けられた楽曲ＩＤが複数あった場合には、何れかの楽曲ＩＤの楽曲が演奏されて当該メッセージＩＤ「＊＊＊＊＊ｂ」のメッセージが出力された場合に、総ての楽曲ＩＤが消去される。一方、例えばメッセージＩＤ「＊＊＊＊＊ｂ」、楽曲ＩＤ「＊＊１２」に複数の受信人が設定されていた場合に、当該歌唱された楽曲ＩＤとメッセージ情報の出力対象となった受信人の利用者ＩＤのみが消去されるものである。なお、この消去処理が行われた利用者別メッセージ情報５６は、例えば全員のログアウト時にホスト装置１１に送信されてメッセージ情報管理テーブル２５やメッセージ２６が更新されるものである。
【００４９】
このように、出力されたメッセージ情報（メッセージＩＤ）に対して少なくとも関連付けられた楽曲ＩＤ及び受信人の利用者ＩＤを消去することから、同じ楽曲が選曲演奏されても同じ受信人に対するメッセージの重複した出力を回避させることができるものである。
【００５０】
続いて、図８に、図７における処理の一例のフローチャートを示す。図８においては、図７の消去処理の条件を付加したもので、上記メッセージ情報管理手段４８は、メッセージ出力制御手段５０により出力されたメッセージ情報に対して少なくとも関連付けられた楽曲ＩＤ及び受信人の利用者ＩＤを消去するに際し、当該楽曲の演奏終了まで当該受信人がログイン状態である場合にのみ消去処理を行うこととしたものである。
【００５１】
すなわち、図８において、上記の例として、メッセージ情報管理手段４８は、楽曲ＩＤ「＊＊１２」の演奏が終了したときに（Ｓ２１）、受信人（ここでは、利用者ＩＤ「＊＊＊＊＊＊＊Ｂ」）がログアウトしているか否かをＲＡＭ４４のログイン者情報５５を参照して判別し（Ｓ２２）、ログアウトしていなければ、ＲＡＭ４４に記憶されている利用者別メッセージ情報５６のうち、歌唱した発信人の利用者ＩＤに付帯されている当該楽曲ＩＤ「＊＊１２」と共にメッセージＩＤ「＊＊＊＊＊ｂ」及び受信人の利用者ＩＤ「＊＊＊＊＊＊＊Ｂ」を消去して更新する（Ｓ２３）。
【００５２】
そして、この消去処理が行われた利用者別メッセージ情報５６は、所定時期、例えば全員のログアウト時にホスト装置１１に送出されてメッセージ情報管理テーブル２５やメッセージ２６が更新されるものである（Ｓ２４）。一方で、当該受信人が、例えば発信人の歌唱の途中でログアウトした場合には（Ｓ２２）、消去処理を行わずにそのままとするものである。
【００５３】
このように、楽曲の演奏終了まで受信人がログイン状態である場合にのみ消去処理を行わせることから、受信人に対する伝達情報を確実に伝達することを確保することができるものである。
【産業上の利用可能性】
【００５４】
本発明の伝達情報出力機能を備えるカラオケシステムは、カラオケの基本的機能を備えるカラオケ機器製造の分野に利用可能である。
【図面の簡単な説明】
【００５５】
【図１】本発明に係るカラオケシステムの系統構成図である。
【図２】本発明のカラオケシステムにおけるカラオケ演奏端末に係るブロック構成図である。
【図３】図２の予約待ち行列の説明図である。
【図４】図３の予約待ち行列への登録の処理フローチャートである。
【図５】図２におけるメッセージ出力の処理フローチャートである。
【図６】図４のメッセージ出力の説明図である。
【図７】図２のメッセージ情報管理手段における他の処理の説明図である。
【図８】図７における処理の一例のフローチャートである。
【符号の説明】
【００５６】
１１            ホスト装置
１３            カラオケ演奏端末
２５            メッセージ情報管理テーブル
２６            メッセージ
３１            カラオケ演奏装置
３８            メッセージ情報作成手段
４８            メッセージ情報管理手段
５０            メッセージ出力制御手段
５５            ログイン者情報
５６            利用者別メッセージ情報
５７            予約待ち行列
【図１】
2010107837.tif 000003
【図２】
2010107837.tif 000004
【図３】
2010107837.tif 000005
【図４】
2010107837.tif 000006
【図５】
2010107837.tif 000007
【図６】
2010107837.tif 000008
【図７】
2010107837.tif 000009
【図８】
2010107837.tif 000010